(57)【特許請求の範囲】
【請求項１】
少なくとも２つの表示装置と上記表示装置に映像信号を供給するベース装置からなる映像表示システムであって、
上記ベース装置は、互いに独立に受信チャンネルを選択可能な少なくとも２つのチューナ手段と、上記少なくとも２つのチューナ手段により選局された受信チャンネルの映像信号を上記少なくとも２つの表示装置に出力する映像信号出力手段と、上記少なくとも２つの表示装置の内の少なくとも１つの表示装置との間で情報信号の授受を行う双方向通信手段と、上記少なくとも２つのチューナ手段を制御する制御手段を備え、
上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備え、
上記ベース装置の制御手段は、上記操作信号形成手段により形成される表示画像切り替え用の操作信号を上記双方向通信手段を介して受信して、上記表示画像切り替え用の操作信号に応じて上記少なくとも２つのチューナ手段による選局制御を行うことを特徴とする映像表示システム。
【請求項２】
上記ベース装置との間で情報信号の授受を行う双方向通信手段を備える表示装置は、上記接触位置検出手段により検出される上記表示画面上の接触位置の検出出力に基づいて、上記操作信号形成手段により横方向の接触操作入力にチャンネル切替えコマンドを割り付けた操作信号を形成して、上記双方向通信手段を介して上記ベース装置に送信することにより、上記ベース装置から当該表示装置に映像信号を供給するチューナ手段の選局制御を行うことを特徴とする請求項１記載の映像表示システム。
【請求項３】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルを上記ベース装置から他の表示装置に映像信号を供給するチューナ手段の受信チャンネルに設定する選局制御を行うことを特徴とする請求項１記載の映像表示システム。
【請求項４】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルに上記ベース装置から他の表示装置に映像信号を供給するチューナ手段の受信チャンネルを設定する選局制御を行うことを特徴とする請求項１記載の映像表示システム。
【請求項５】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルと上記ベース装置から他の表示装置に映像信号を供給するチューナ手段の受信チャンネルとを交換する選局制御を行うことを特徴とする請求項１記載の映像表示システム。
【請求項６】
少なくとも２つの表示装置と上記表示装置に映像信号を供給するベース装置からなる映像表示システムであって、
上記ベース装置は、複数の入力映像信号から上記少なくとも２つの表示装置に出力する映像信号を選択する信号選択手段と、
上記選択手段により選択された映像信号を上記少なくとも２つの表示装置に出力する映像信号出力手段と、上記少なくとも２つの表示装置の内の少なくとも１つの表示装置との間で情報信号の授受を行う双方向通信手段と、上記選択手段を制御する制御手段を備え、
上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備え、
上記ベース装置の制御手段は、上記操作信号形成手段により形成される表示画像切り替え用の操作信号を上記双方向通信手段を介して受信して、上記表示画像切り替え用の操作信号に応じて上記選択手段による映像信号の選択制御を行うことを特徴とする映像表示システム。
【請求項７】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置にも供給するように上記信号選択手段の制御を行うことを特徴とする請求項６記載の映像表示システム。
【請求項８】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から他の表示装置に供給している映像信号を当該表示装置にも供給するように上記信号選択手段の制御を行うことを特徴とする請求項６記載の映像表示システム。
【請求項９】
上記ベース装置との間で情報信号の授受を行う双方向通信手段を備える表示装置は、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置に供給し、上記ベース装置から他の表示装置に供給している映像信号を当該表示装置に供給するように上記信号選択手段の制御を行うことを特徴とする請求項６記載の映像表示システム。
【請求項１０】
少なくとも２つの表示装置と上記表示装置に映像信号を供給するベース装置からなる映像表示システムにおける映像表示制御装置であって、
互いに独立に受信チャンネルを選択可能な少なくとも２つのチューナ手段と、上記少なくとも２つのチューナ手段により選局された受信チャンネルの映像信号を上記少なくとも２つの表示装置に出力する映像信号出力手段と、上記少なくとも２つの表示装置の内の少なくとも１つの表示装置との間で情報信号の授受を行う双方向通信手段と、上記少なくとも２つのチューナ手段を制御する制御手段を備える上記ベース装置と、
上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備える上記ベース装置との間で情報信号の授受を行う上記少なくとも１つの表示装置からなり、
上記表示装置の操作信号形成手段により形成される表示画像切り替え用の操作信号を上記双方向通信手段を介して受信して、上記ベース装置の制御手段により上記表示画像切り替え用の操作信号に応じて上記少なくとも２つのチューナ手段による選局制御を行うことを特徴とする映像表示制御装置。
【請求項１１】
上記接触位置検出手段により検出される上記表示画面上の接触位置の検出出力に基づいて、上記操作信号形成手段により横方向の接触操作入力にチャンネル切替えコマンドを割り付けた操作信号を形成して、上記表示装置から上記双方向通信手段を介して上記ベース装置に送信することにより、上記ベース装置から当該表示装置に映像信号を供給するチューナ手段の選局制御を行うことを特徴とする請求項１０記載の映像表示制御装置。
【請求項１２】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルを上記ベース装置から他の表示装置に映像信号を供給するチューナ手段の受信チャンネルに設定する選局制御を行うことを特徴とする請求項１０記載の映像表示制御装置。
【請求項１３】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルに、上記ベース装置から他の表示装置に映像信号を供給するチューナ手段の受信チャンネルを設定する選局制御を行うことを特徴とする請求項１０記載の映像表示制御装置。
【請求項１４】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルと上記ベース装置から他の表示装置に映像信号を供給するチューナ手段の受信チャンネルとを交換する選局制御を行うことを特徴とする請求項１０記載の映像表示制御装置。
【請求項１５】
少なくとも２つの表示装置と上記表示装置に映像信号を供給するベース装置からなる映像表示システムにおける映像表示制御装置であって、
複数の入力映像信号から上記少なくとも２つの表示装置に出力する映像信号を選択する信号選択手段と、上記選択手段により選択された映像信号を上記少なくとも２つの表示装置に出力する映像信号出力手段と、上記少なくとも２つの表示装置の内の少なくとも１つの表示装置との間で情報信号の授受を行う双方向通信手段と、上記選択手段を制御する制御手段を備える上記ベース装置と、
上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備える上記少なくとも１つの表示装置からなり、
上記表示装置の操作信号形成手段により形成される表示画像切り替え用の操作信号を上記双方向通信手段を介して受信して、上記ベース装置の制御手段により上記表示画像切り替え用の操作信号に応じて上記選択手段による映像信号の選択制御を行うことを特徴とする映像表示制御装置。
【請求項１６】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置にも供給するように上記信号選択手段の制御を行うことを特徴とする請求項１５記載の映像表示制御装置。
【請求項１７】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から他の表示装置に供給している映像信号を当該表示装置にも供給するように上記信号選択手段の制御を行うことを特徴とする請求項１６記載の映像表示制御装置。
【請求項１８】
上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置に供給し、上記ベース装置から他の表示装置に供給している映像信号を当該表示装置に供給するように上記信号選択手段の制御を行うことを特徴とする請求項１６記載の映像表示制御装置。
【発明の詳細な説明】
【０００１】
【発明の属する技術分野】
本発明は、少なくとも２つの表示装置と上記表示装置に映像信号を供給するベース装置からなる映像表示システム及びその映像表示制御装置に関する。
【０００２】
【従来の技術】
例えば、テレビ受像機において、画質の調整やタイマの設定などは、テレビ受像機のリモートコマンダ（以下、リモコンと略称する。）のボタン操作等よって、テレビ受像機の表示画面に実行可能な処理を選択するためのメニューを表示する。そして、使用者は、テレビ受像機のリモコンを用いて、目的とする処理を選択し、表示画面に表示されるガイダンス表示などにしたがって、リモコンを操作することにより、画質の調整やタイマの設定などの目的とする処理を行うことができるようにされている。
【０００３】
また、ＳＴＢ(Set-Top box) やＩＲＤ(Integiretide Reciver Decoder)などと呼ばれる衛星放送信号を受信する受信機などにおいては、ＥＰＧなどと呼ばれる電子番組ガイドなどのデータ表示を、モニタ受像機の表示画面に表示するようにすることが行われている。この場合には、使用者は、受信機のリモコンを用い、モニタ受像機の表示画面に表示されている電子番組ガイドに基づいて、視聴しようとする番組を選択することにより、受信機の選局チャンネルを変えることができるようにされている。
【０００４】
このように、テレビ受像機やテレビ放送信号を受信する受信機においては、メニューやガイダンス、あるいは、電子番組ガイドなどの情報表示と、リモコン操作とを組み合わせることによって、目的とする処理をわかりやすく比較的に簡単に実行させることができるように工夫されている。
【０００５】
ところが、前述のように、テレビ受像機やＳＴＢやＩＲＤに対して目的とする処理を行わせるために、メニューやガイダンスなどの必要な情報をテレビ受像機などの表示画面に表示し、この表示情報を見ながらリモコンを操作する方式では、リモコンに対する操作が繁雑になる場合がある。
【０００６】
例えば、複数のメニューの中から目的とする処理を選択項目として含むメニューを表示させるために、メニューのページ送りを複数回行わなければならなかったり、表示画面上のカーソルを移動させるためにリモコンに対して頻繁に操作を行わなければならなかったり、また、リモコンを通じて決定操作を行わなければならないなどの場合がある。
【０００７】
また、テレビ受像機などのモニタ装置も、ＬＣＤ(Liquid Crystal Display)などを用いることによって、小型化、軽量化が進み、持ち運びが可能で、使用者の手が届く位置で使用されるものも増えてくると考えられる。このような場合には、テレビ受像機のリモコンは不用であるし、また、テレビ受像機に映像信号や音声信号を供給する受信機などの外部入力装置のリモコンの存在が煩わしくなってしまう。
【０００８】
そこで、本件出願人は、例えば、特開２００２−３４０２３号公報に記載されているように、表示装置を用いて、テレビ番組などの映像情報を観視したり、音声情報を聴取したりすることができるとともに、表示装置の表示素子に表示される操作用表示情報とタッチパネルなどの接触位置検出手段を通じて、ベース装置やベース装置に接続される外部入力装置を遠隔操作することができるようにして、煩わし操作を行うことなく、遠隔操作を行うことを可能にし、より使い勝手のよいホームネットワークを構築することが可能な双方向通信システムを先に提案している。
【０００９】
【発明が解決しようとする課題】
ところで、上記特開２００２−３４０２３号公報に記載された双方向通信システムでは、表示装置の表示素子に表示される操作用表示情報とタッチパネルなどの接触位置検出手段を通じて、ベース装置やベース装置に接続される外部入力装置を遠隔操作することができ、所望の映像を簡単な選択して表示装置に表示することができるのである。
【００１０】
本発明は、このような双方向通信システムを利用して、複数の表示装置にベース装置から映像信号を供給するに当たり、ユーザが指で画面をなぞる操作により、映像機器間で映像の授受を行うことを可能にし、従来のリモコンのようなボタン操作とは異なり、感覚的に切替えを行うことができるようにした映像表示システム及び映像表示制御装置を提供することにある。
【００１１】
【課題を解決するための手段】
本発明は、少なくとも２つの表示装置と上記表示装置に映像信号を供給するベース装置からなる映像表示システムであって、上記ベース装置は、互いに独立に受信チャンネルを選択可能な少なくとも２つのチューナ手段と、上記少なくとも２つのチューナ手段により選局された受信チャンネルの映像信号を上記少なくとも２つの表示装置に出力する映像信号出力手段と、上記少なくとも２つの表示装置の内の少なくとも１つの表示装置との間で情報信号の授受を行う双方向通信手段と、上記少なくとも２つのチューナ手段を制御する制御手段を備え、上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備え、上記ベース装置の制御手段は、上記操作信号形成手段により形成される表示画像切り替え用の操作信号を上記双方向通信手段を介して受信して、上記表示画像切り替え用の操作信号に応じて上記少なくとも２つのチューナ手段による選局制御を行うことを特徴とする。
【００１２】
本発明に係る映像表示システムにおいて、上記ベース装置との間で情報信号の授受を行う双方向通信手段を備える表示装置は、例えば、上記接触位置検出手段により検出される上記表示画面上の接触位置の検出出力に基づいて、上記操作信号形成手段により横方向の接触操作入力にチャンネル切替えコマンドを割り付けた操作信号を形成して、上記双方向通信手段を介して上記ベース装置に送信することにより、上記ベース装置から当該表示装置に映像信号を供給するチューナ手段の選局制御を行う。
【００１３】
また、本発明に係る映像表示システムにおいて、上記ベース装置との間で情報信号の授受を行う双方向通信手段を備える表示装置は、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルを上記ベース装置から他の表示装置に映像信号を供給するチューナ手段の受信チャンネルに設定する選局制御を行うことを特徴とする請求項１記載の映像表示システム。
【００１４】
また、本発明に係る映像表示システムにおいて、上記ベース装置との間で情報信号の授受を行う双方向通信手段を備える表示装置は、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルに上記ベース装置から他の表示装置に映像信号を供給するチューナ手段の受信チャンネルを設定する選局制御を行う。
【００１５】
さらに、本発明に係る映像表示システムにおいて、上記ベース装置との間で情報信号の授受を行う双方向通信手段を備える表示装置は、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に映像信号を供給するチューナ手段の受信チャンネルと上記ベース装置から他の表示装置に映像信号を供給するチューナ手段の受信チャンネルとを交換する選局制御を行う。
【００１６】
また、本発明は、少なくとも２つの表示装置と上記表示装置に映像信号を供給するベース装置からなる映像表示システムであって、上記ベース装置は、複数の入力映像信号から上記少なくとも２つの表示装置に出力する映像信号を選択する信号選択手段と、上記選択手段により選択された映像信号を上記少なくとも２つの表示装置に出力する映像信号出力手段と、上記少なくとも２つの表示装置の内の少なくとも１つの表示装置との間で情報信号の授受を行う双方向通信手段と、上記選択手段を制御する制御手段を備え、上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備え、上記ベース装置の制御手段は、上記操作信号形成手段により形成される表示画像切り替え用の操作信号を上記双方向通信手段を介して受信して、上記表示画像切り替え用の操作信号に応じて上記選択手段による映像信号の選択制御を行うことを特徴とする。
【００１７】
本発明に係る映像表示システムにおいて、上記ベース装置との間で情報信号の授受を行う双方向通信手段を備える表示装置は、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置にも供給するように上記信号選択手段の制御を行う。
【００１８】
また、本発明に係る映像表示システムにおいて上記ベース装置との間で情報信号の授受を行う双方向通信手段を備える表示装置は、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から他の表示装置に供給している映像信号を当該表示装置にも供給するように上記信号選択手段の制御を行う。
【００１９】
さらに、本発明に係る映像表示システムにおいて上記ベース装置との間で情報信号の授受を行う双方向通信手段を備える表示装置は、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置に供給し、上記ベース装置から他の表示装置に供給している映像信号を当該表示装置に供給するように上記信号選択手段の制御を行う。
【００２０】
また、本発明は、少なくとも２つの表示装置と上記表示装置に映像信号を供給するベース装置からなる映像表示システムにおける映像表示制御装置であって、互いに独立に受信チャンネルを選択可能な少なくとも２つのチューナ手段と、上記少なくとも２つのチューナ手段により選局された受信チャンネルの映像信号を上記少なくとも２つの表示装置に出力する映像信号出力手段と、上記少なくとも２つの表示装置の内の少なくとも１つの表示装置との間で情報信号の授受を行う双方向通信手段と、上記少なくとも２つのチューナ手段を制御する制御手段を備える上記ベース装置と、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備える上記ベース装置との間で情報信号の授受を行う上記少なくとも１つの表示装置からなり、上記表示装置の操作信号形成手段により形成される表示画像切り替え用の操作信号を上記双方向通信手段を介して受信して、上記ベース装置の制御手段により上記表示画像切り替え用の操作信号に応じて上記少なくとも２つのチューナ手段による選局制御を行うことを特徴とする。
【００２１】
本発明に係る映像表示制御装置では、例えば、上記接触位置検出手段により検出される上記表示画面上の接触位置の検出出力に基づいて、上記操作信号形成手段により横方向の接触操作入力にチャンネル切替えコマンドを割り付けた操作信号を形成して、上記表示装置から上記双方向通信手段を介して上記ベース装置に送信することにより、上記ベース装置から当該表示装置に映像信号を供給するチューナ手段の選局制御を行う。
【００２２】
また、本発明に係る映像表示制御装置では、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルを上記ベース装置から他の表示装置に映像信号を供給するチューナ手段の受信チャンネルに設定する選局制御を行う。
【００２３】
また、本発明に係る映像表示制御装置では、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルに、上記ベース装置から他の表示装置に映像信号を供給するチューナ手段の受信チャンネルを設定する選局制御を行う。
【００２４】
さらに、本発明に係る映像表示制御装置では、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルと上記ベース装置から他の表示装置に映像信号を供給するチューナ手段の受信チャンネルとを交換する選局制御を行う。
【００２５】
また、本発明は、少なくとも２つの表示装置と上記表示装置に映像信号を供給するベース装置からなる映像表示システムにおける映像表示制御装置であって、複数の入力映像信号から上記少なくとも２つの表示装置に出力する映像信号を選択する信号選択手段と、上記選択手段により選択された映像信号を上記少なくとも２つの表示装置に出力する映像信号出力手段と、上記少なくとも２つの表示装置の内の少なくとも１つの表示装置との間で情報信号の授受を行う双方向通信手段と、上記選択手段を制御する制御手段を備える上記ベース装置と、上記ベース装置との間で情報信号の授受を行う上記少なくとも１つの表示装置は、上記ベース装置との間で情報信号の授受を行う双方向通信手段と、上記ベース装置から供給される映像信号に応じた映像を表示する映像表示部と、上記映像表示部の表示画面に設けられ、使用者が接触するようにした上記表示画面上の接触位置を検出する接触位置検出手段と、上記接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を形成する操作信号形成手段とを備える上記少なくとも１つの表示装置からなり、上記表示装置の操作信号形成手段により形成される表示画像切り替え用の操作信号を上記双方向通信手段を介して受信して、上記ベース装置の制御手段により上記表示画像切り替え用の操作信号に応じて上記選択手段による映像信号の選択制御を行うことを特徴とする。
【００２６】
本発明に係る映像表示制御装置では、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置にも供給するように上記信号選択手段の制御を行う。
【００２７】
また、本発明に係る映像表示制御装置では、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から他の表示装置に供給している映像信号を当該表示装置にも供給するように上記信号選択手段の制御を行う。
【００２８】
さらに、本発明に係る映像表示制御装置では、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記ベース装置に送信することにより、上記ベース装置から当該表示装置に供給している映像信号を他の表示装置に供給し、上記ベース装置から他の表示装置に供給している映像信号を当該表示装置に供給するように上記信号選択手段の制御を行う。
【００２９】
【発明の実施の形態】
以下、本発明の実施の形態について、図面を参照して詳細に説明する。
【００３０】
本発明は、例えば図１に示すような構成の映像表示システム１に適用される。この映像表示システム１は、可搬型表示装置１００、ベース装置（ベースステーション）２００、大画面表示装置３００とからなり、ベース装置２００から供給される映像信号を可搬型表示装置１００と大画面表示装置３００で表示するようになっている。
【００３１】
可搬型表示装置１００は、表示素子としてＬＣＤ１０７を備える液晶ディスプレイ装置が用いられ、また、大画面表示装置３００は、大画面のプラズマディスプレイ装置が用いられている。
【００３２】
そして、可搬型表示装置１００は、図２に示すように、送受信アンテナ１０１、アンテナ共用器１０２、受信処理部１０３、デコード部１０４、ＯＳＤ(On Screen Display)処理部１０５、映像信号処理部１０６、ＬＣＤ１０７、音声信号増幅部１０８、スピーカ１０９、送信信号形成部１１１、送信処理部１１２、タッチパネル１２１、座標検出部１２２を備えている。
【００３３】
この可搬型表示装置１００の各部は、制御部１３０によって制御される。制御部１３０は、ＣＰＵ(CentralProcessing Unit)１３１、ＲＯＭ(Read Only Memory)１３２、ＲＡＭ(Random Access Memory)１３３、ＥＥＰＲＯＭ(Electrically Erasable Programmable Read Only Memory)１３４がＣＰＵバス１３５を通じて接続されて構成されたマイクロコンピュータからなる。
【００３４】
ＲＯＭ１３２は、この可搬型表示装置１００において実行する各種の処理プログラムや処理に必要なデータなどが記録されたものである。ＲＡＭ１３３は、各種の処理において得られたデータを一時的に記憶保持するなどのように、主に各種の処理の作業領域として用いられる。
【００３５】
ＥＥＰＲＯＭ１３４は、いわゆる不揮発性のメモリであり、電源が落とされても、記憶保持した情報が失われることがなく、例えば、各種の設定パラメータや、ベース装置２００を通じて、取得するようにしたインターネット上のホームページや、ベース装置２００を通じて送信する作成した電子メールや受信した電子メールなどを記憶保持する。
【００３６】
ここで、ベース装置２００からの無線信号を受信する場合の可搬型表示装置１００の動作について説明する。
【００３７】
この可搬型表示装置１００とベース装置２００との間においては、例えば、ＩＥＥＥ(Institute Electrical and Electronics Engineers)８０２．１１方式のプロトコル、あるいは、その発展プロトコルなどの所定のプロトコルが用いられて無線通信が行われる。
【００３８】
ベース装置２００から所定の通信プロトコルに準拠した無線信号は、モニタ装置１００の送受信アンテナ１０１により受信され、アンテナ共用器（以下、単に共用器という。）１０２を通じて受信処理部１０３に供給される。共用器１０２は、送信信号と受信信号とが干渉し合うことを防止するためのものである。
【００３９】
つまり、このモニタ装置１００は、ベース装置２００からの信号を送受信アンテナ１０１を通じて受信することができるとともに、自機からの操作信号などを送受信アンテナ１０１を通じて無線送信することができる。このため、共用器１０２は、送信処理部１１２からの送信信号が、送受信アンテナ１０２を通じて受信される受信信号に対して干渉することがないようにしている。
【００４０】
受信処理部１０３は、これに供給された信号を復調するなどの処理を行って、復調後の信号をデコード部（伸長処理部）１０４に供給する。ベース装置２００は、内蔵の第１あるいは第２のチューナ２０１，２０２により選局した地上波のテレビ放送番組の映像信号や音声信号、自己のモデムを通じて受信したテキストデータや映像データなどの表示用データや音声データ、あるいは、ＳＴＢからの衛星放送番組の映像信号や音声信号などの情報信号をデータ圧縮して送信してくる。
【００４１】
可搬型表示装置１００のデコード部１０４は、受信処理部１０３からの復調されたデータ圧縮されている信号の供給を受けて、映像信号と音声信号とを分離し、分離した信号を伸長（圧縮解凍）することにより、データ圧縮前の元の信号を復元する。
【００４２】
そして、デコード部１０４は、復元した映像信号と音声信号とをＤ／Ａ変換し、アナログ映像信号とアナログ音声信号とを形成する。そして、デコード部１０４は、アナログ映像信号を、ＯＳＤ処理部１０５に供給し、アナログ音声信号を、音声信号増幅部１０８に供給する。
【００４３】
ＯＳＤ処理部１０５は、制御部１３０から供給されるデータに応じて、コントロールパネルやメニュー表示、各種のメッセージ等を表示するようにするための映像信号処理を行うものであり、放送番組の映像のほかの文字、絵、記号などの表示情報を表示するようにするためのいわゆるテキスト／グラフィック処理回路である。
【００４４】
例えば、使用者からの指示に応じて、コントロールパネルを表示する場合には、これを表示するための情報が、制御部１３０からＯＳＤ処理部１０５に供給される。そして、デコード部１０４からの映像信号に制御部１３０からのコントロールパネルの表示が合成するようにされ、これが映像信号処理回路１０６に供給される。
【００４５】
また、使用者からの指示に応じて、選択するようにされているチャンネルを示す文字情報や音量レベルを示す音量バーなどを表示する場合には、これらを表示するための情報が、制御部１３０からＯＳＤ処理部１０５に供給される。そして、デコード部１０４からの映像信号に制御部１３０からのコントロールパネルの表示が合成するようにされ、これが映像信号処理回路１０６に供給される。
【００４６】
また、コントロールパネルなどの表示情報を合成する必要がない場合には、ＯＳＤ処理部１０５には、表示情報は供給されないので、デコード部１０４からのアナログ映像信号が、そのまま映像信号処理回路１０７に供給される。映像信号処理部１０６は、ＯＳＤ処理部１０５を通じて供給される映像信号から、表示用信号を形成し、これをＬＣＤ１０７に供給する。
【００４７】
これにより、ＬＣＤ１０７の表示画面には、ベース装置２００から無線送信されてきた映像信号に応じた映像が表示される。この場合、ＯＳＤ処理部１０５において、コントロールパネルなどの表示情報が合成されている場合には、コントロールパネルなどの表示情報が、デコード部１０４からの映像信号による映像とともに表示される。
【００４８】
一方、音声信号増幅部１０８は、これに供給された音声信号を所定のレベルにまで増幅し、これをスピーカ１０９に供給する。これにより、スピーカ１０９からは、ベース装置２００から無線送信されてきた音声信号に応じた音声が放音される。
【００４９】
このように、可搬型表示装置１００は、ベース装置２００から無線送信されてくるテレビ放送番組などの映像信号や音声信号を受信して、その受信した映像信号や音声信号を再生して出力することにより、使用者に提供することができる。
【００５０】
また、可搬型表示装置１００は、そのＬＣＤ１０７の表面に設けられたタッチパネル１２１による使用者からの操作入力を受け付け、この操作入力に応じた操作信号をベース装置２００に送信するリモコンとして機能する。
【００５１】
すなわち、この可搬型表示装置１００は、使用者からの操作入力を受け付けためのタッチパネル１２１がＬＣＤ１０７の表面に貼付されている。
【００５２】
そして、この可搬型表示装置１００では、使用者の指などが接触したＬＣＤ１０７に貼付されたタッチパネル１２１上の接触位置（座標位置）を座標検出部１２２により検出し、上記座標検出部１２２による検出出力に基づいて制御部１３０において、使用者からの操作入力を判別して、その操作入力に応じた操作信号を形成する。制御部１３０は、上記操作入力に応じた操作信号を送信信号形成部１１１に供給する。送信信号形成部１１１は、制御部１３０からの操作信号からベース装置２００に送信する送信信号を形成し、これを送信処理部１１２に供給する。送信処理部１１２は、供給された送信信号を変調したり増幅するなどの処理を行って、実際に送信する形式の送信信号を形成し、これを共用器１０２、送受信アンテナ１０１を通じてベース装置２００に対して無線送信する。
【００５３】
このようにして、可搬型表示装置１００から無線送信される操作信号は、ベース装置２００により受信される。
【００５４】
また、この可搬型表示装置１００には、インターフェース（Ｉ／Ｆ）１４０を通じて、キー入力部１４１が接続されている。キー操作部１４１は、例えば、電源のオン／オフスイッチなど備えたものであり、このキー操作部１４１を通じて受け付けた操作入力は、Ｉ／Ｆ１４０を通じて制御部１３０に供給され、電源の投入など操作キーに応じた処理を行うことができるようにされる。
【００５５】
この映像表示システム１をベース装置２００は、図３に示すように、テレビジョン放送信号を選局する第１及び第２のチューナ２０２Ａ，２０２Ｂを備えるとともに、電話網やインターネットなどの通信ネットワークに接続するための変調復調器であるいわゆるモデムを備え、電話線Ｌを通じて電話網に接続することができるものである。図３において、端子ＭＪは、外部から引き込まれた電話線Ｌとの接続端子（モジュラージャック）である。また、ベース装置２００は、外部入力端子２０４，２０５を備え、例えば、ＶＴＲ、ＳＴＢ、ＩＲＤ、ＤＶＤ(Digital Video Disk)装置などの各種の外部入力装置を接続することができるようにされている。
【００５６】
そして、このベース装置２００は、第１チューナ２０２Ａにより選局し、復調することにより得たテレビジョン放送番組の映像信号や音声信号、あるいは、自己のモデムを通じて通信ネットワークから得た映像データや音声データ、あるいは、ＳＴＢからの衛星放送番組の映像信号や音声信号などの情報信号をデータ圧縮して、送信信号を形成し、これを可搬型表示装置１００に送信することができるようになっている。
【００５７】
また、このベース装置２００は、第２のチューナ２０２Ｂにより選局し、復調することにより得たテレビジョン放送番組の映像信号や音声信号、あるいは、自己のモデムを通じて通信ネットワークから得た映像データや音声データ、あるいは、ＳＴＢからの衛星放送番組の映像信号や音声信号などの情報信号を出力端子２１５から接続ケーブルを介して大画面表示装置３００に供給することができるようになっている。
【００５８】
すなわち、ベース装置２００は、図３に示すように、それぞれ受信アンテナ２０１Ａ，２０１Ｂに接続される第１及び第２のチューナ２０２Ａ，２０２Ｂ、復調部２０３Ａ，２０３Ｂ、映像信号入力端子２０４、音声信号入力端子２０５、セレクタ２０６、圧縮処理部２０７、送信信号形成部２０８、送信処理部２０９、アンテナ共用器（以下、単に共用器という。）２１０、送受信アンテナ２１１、受信処理部２１２等を備えている。
【００５９】
このベース装置２００の各部は、ＣＰＵ２３１、ＲＯＭ２３２、ＲＡＭ２３３、ＥＥＰＲＯＭ２３４がＣＰＵバス２３５を通じて接続されて構成されたマイクロコンピュータからなる制御部２３０によって制御されている。
【００６０】
ここで、ＲＯＭ２３２は、この実施の形態のベース装置２００において実行する各種の処理プログラムや処理に必要なデータなどが記録されたものである。ＲＡＭ２３３は、各種の処理において得られたデータを一時的に記憶保持するなどのように、主に各種の処理の作業領域として用いられるものである。
【００６１】
ＥＥＰＲＯＭ２３４は、いわゆる不揮発性のメモリであり、電源が落とされても、記憶保持した情報が失われることがなく、例えば、ベース装置２００の主電源が落とされる直前まで選局していた放送チャンネルの情報を記憶保持し、電源投入後においては、前回電源が落とされる直前まで選局していたチャンネルの放送信号を選局するようにするいわゆるラストチャンネルメモリ機能を実現することなどができるようにしている。
【００６２】
また、制御部２３０には、モデム部２２０が接続されている。モデム部２２０は、インターフェース（以下、Ｉ／Ｆと略称する。）部２２１と、通信部２２２とからなっている。Ｉ／Ｆ部２２１は、通信回線、この実施の形態においては電話回線と、このベース装置２００との間のインターフェースであり、電話回線を通じて送信されてくる信号を受信したり、ベース装置２００からの信号を電話回線に送信するしたりする。
【００６３】
通信部２２２は、Ｉ／Ｆ部２２１を通じて受信した信号を復調して、これを制御部２３０に供給したり、制御部２３０からの送信信号を変調して、これをＩ／Ｆ部２２１に供給する。これにより、電話回線が接続された相手先との間で、各種のデータの送信、受信を行うことができる。
【００６４】
そして、このベース装置２００は、モデム部２２０、電話線Ｌ、及び、所定のＩＳＰ(Internet Service Provider)を通じてインターネットに接続し、インターネットを通じて各種の情報の提供を受けたり、電子メールを送信したり受信したりすることができる。このため、制御部２３０は、モデム部２２０を制御して、オフフックしたりオンフックすることができるとともに、オフフックするようにモデム部２２０を制御したときには、ダイヤル信号を電話回線に送出するようにするいわゆるダイヤラとしての機能などをも備えたものである。
【００６５】
また、ベース装置２００の制御部２３０には、リモコンマウスなどと呼ばれる赤外線のリモコン信号を送出するリモコン信号形成部２４１、リモコン信号の出力端子２４２を通じて、リモコン信号送出部２５０が接続され、可搬型表示装置１００からの操作信号に応じたリモコン信号を形成し、これをリモコン信号送出部２５０からＳＴＢ等の外部装置に送信するようになっている。
【００６６】
なお、図示しないが、制御部２３０には、電源のオン／オフキーや各種の設定キーが設けられたキー入力部が接続されており、ベース装置２００の主電源のオン／オフや、各種の設定入力が、キー入力部を通じて行うことができるようにされている。
【００６７】
そして、この映像表示システム１において、ベース装置２００の第１のチューナ２０２Ａは、受信アンテナ１０１Ａを介して入力されるテレビジョン放送信号から、制御部２３０からの選局指示信号に応じたチャンネルのテレビジョン放送信号を選局し、この選局したテレビジョン放送信号を復調部２０３Ａに供給する。復調部２０３Ａは、これに供給されたテレビジョン放送信号を復調して、復調後の信号（テレビ番組の信号）をセレクタ２０６供給する。同様に、第２のチューナ２０２Ｂは、受信アンテナ１０１Ａを介して入力されるテレビジョン放送信号の中から、制御部２３０からの選局指示信号に応じたチャンネルのテレビジョン放送信号を選局し、この選局したテレビジョン放送信号を復調部２０３Ｂに供給する。
【００６８】
このセレクタ２０６には、映像信号の外部入力端子２０４を通じて入力された映像信号、音声信号の外部入力端子２０５を通じて入力される音声信号の他、制御部２３０からの情報も供給するようにされている。制御部２３０からセレクタ２０６に供給される情報としては、モデム部２２０を通じて、取り込んだ、例えば、インターネット上に公開されているいわゆるホームページの情報や、電子メールなどの情報である。
【００６９】
そして、セレクタ２０６は、制御部２３０からの切り換え制御信号に応じて、復調部２０３からの信号を出力するか、外部入力端子２０４、２０５からの信号を出力するか、制御部２３０からの信号を出力するかを切り換える。制御部２３０からセレクタ２０６に供給される切り換え制御信号は、前述したように、可搬型表示装置１００から無線送信されてくる操作信号に応じて、制御部２３０において形成されるものである。
【００７０】
そして、セレクタ２０６からの出力信号は、圧縮処理部２０７に供給される。圧縮処理部２０７は、これに供給された信号を所定の圧縮方式を用いてデータ圧縮する。この圧縮処理部２０６においては、例えば、ＭＰＥＧ方式やＷａｖｅｌｅｔ方式などのデータ圧縮方式を用いて、セレクタ２０６からの信号をデータ圧縮する。
【００７１】
圧縮処理部２０７においてデータ圧縮された信号は、送信信号形成部２０８に供給される。送信信号形成部２０８は、予め決められた通信プロトコルに準拠した送信信号を形成する。この実施の形態において、ベース装置２００は、例えば、ＩＥＥＥ(Institute Electricaland Electronics Engineers)８０２．１１方式のプロトコル、あるいは、その発展プロトコルに準拠した送信信号を形成する。
【００７２】
送信信号形成部２０８において形成された送信信号は、送信処理部２０９に供給される。送信処理部２０９は、制御部２３０からの制御信号に応じて、送信信号の変調処理や増幅処理を行う。送信処理部２０９において処理された送信信号は、共用器２１０、送受信アンテナ２１１を通じて無線送信される。共用器２１０は、可搬型表示装置１００の共用器１０２と同様に、送信信号と受信信号とが干渉し合うことを防止する。
【００７３】
このようにして、第１のチューナ２０２Ａにより選局されたテレビ放送番組の映像信号や音声信号、あるいは、外部入力端子２０４、２０５通じて受け付けた映像信号や音声信号、あるいは、モデム２２０を通じて取得した情報のテキストデータや映像データ、音声データを、データ圧縮して、所定の通信プロトコルで無線送信することにより、可搬型表示装置１００に供給することができる。
【００７４】
また、第２のチューナ２０２Ｂやにより選局されたテレビ放送番組の映像信号や音声信号、あるいは、外部入力端子２０４、２０５通じて受け付けた映像信号や音声信号、あるいは、モデム２２０を通じて取得した情報のテキストデータや映像データ、音声データを上記ベース装置２００の出力端子２１５から接続ケーブルを介して大画面表示装置３００に供給することができる。
【００７５】
このような構成の映像表示システム１では、可搬型表示装置１００とベース装置２００との間において、双方向の無線通信が可能にされているので、使用者は、可搬型表示装置１００のタッチパネル１２１を操作することにより外部装置に対する操作入力を行い、ベース装置２００を通じて外部装置を遠隔操作することができる。
【００７６】
そして、可搬型表示装置１００は、小型化、軽量化がされ、また、ベース装置２００とは、無線通信により接続するようにされているので、持ち運びに適している。このため、使用者は、ベース装置２００と通信が可能な範囲内であれば、可搬型表示装置１００を持ち運び、何処ででも可搬型表示装置１００を用いて、ベース装置２００から提供される情報信号を再生して出力し、使用者に提供することができることができる。
【００７７】
したがって、可搬型表示装置１００を用いることにより、ベース装置２００の第１のチューナ２０２Ａは第２のチューナ２０２Ｂにより選局されるテレビジョン放送番組を視聴したり、ＳＴＢにより選局された衛星放送信号により提供される衛星放送番組を視聴したり、さらに、ベース装置２００に、ＶＴＲやＤＶＤ装置が外部入力機器として接続されている場合には、これらＶＴＲやＤＶＤ装置により再生するようにされる映画などを視聴することができる。
【００７８】
また、可搬型表示装置１００を用いることにより、ベース装置２００のモデムを通じて、例えば、インターネット上に提供されているいわゆるホームページの情報を取得し、そのホームページの情報を視聴するようにしたり、自己宛ての電子メールを受信して、その電子メールをＬＣＤ１０７に表示して見たり、さらに、目的とする相手先に電子メールを作成して送信したりすることができる。
【００７９】
なお、電子メールを作成する場合には、可搬型表示装置１００に対して所定の操作を行うことにより、例えば、アルファベットキーや５０音キーなどからなるソフトウエアキーボードをＬＣＤ１０７に表示し、このソフトウエアキーボードとタッチパネル１２１を通じて、電子メールを作成することができる。そして、送信キーを操作するなどの所定の操作を行うことにより、作成した電子メールをベース装置２００に送信し、ベース装置２００を通じて相手先に送信することができる。
【００８０】
このように、ベース装置２００は、ＳＴＢなどの外部入力装置、地上波テレビ放送、インターネットなどの通信ネットワークなどの各種の情報伝送媒体と可搬型表示装置１００とを結びつけるベースとなる装置である。そして可搬型表示装置１００は、ベース装置２００から情報信号の供給を受けて、これを再生して出力し、使用者に提供することができるとともに、電子メールなどの送信情報を形成し、これをベース装置２００を通じて送信することができる。
【００８１】
また、この映像表示システム１では、上記テレビ放送番組の映像信号や音声信号、あるいは、自己のモデムを通じて通信ネットワークから得た映像データや音声データ、あるいは、ＳＴＢからの衛星放送番組の映像信号や音声信号などの情報信号を上記ベース装置２００の出力端子２１５から接続ケーブルを介して大画面表示装置３００に供給することにより、上記大画面表示装置３００にて所望の映像を表示することができる。
【００８２】
そして、この映像表示システム１では、上記可搬型表示装置１００のＬＣＤ１０７に設けたタッチパネル１２１を指で横方向になぞる操作による操作入力にチャンネル切替えコマンドを割り付け、また、上記タッチパネル１２１を指で縦方向になぞる操作入力に画面の入れ換えコマンドを割り付けることにより、図４のフローチャートに示すような操作制御を行うことができるようになっている。
【００８３】
ここで、上記タッチパネル１２１を指でなぞる操作による操作入力をジェスチャー入力と呼ぶことにする。
【００８４】
すなわち、図４のフローチャートにおいて、上記可搬型表示装置１００の制御部１３０は、上記タッチパネル１２１を指でなぞる操作による操作入力をジェスチャー入力があると、上記座標検出部１２２による検出出力について、一定時間・距離毎にサンプル点を抽出し（ステップＳ１）、その抽出結果に基づいてジェスチャー入力の縦横比により横方向のジェスチャー入力であるか、縦方向のジェスチャー入力であるかを判定する（ステップＳ２）。
【００８５】
上記ステップＳ２における判定結果が横方向のジェスチャー入力であった場合には、そのジェスチャー入力のジェスチャー距離が規定値以上あるか否かを判定し（ステップＳ３）、その判定結果がＮＯすなわち規定値に満たない場合には、そのジェスチャー入力を無視して（ステップＳ１４）、次の操作入力の待機状態になる（ステップＳ１５）。
【００８６】
また、上記ステップＳ３における判定結果がＹＥＳすなわちジェスチャー入力の距離が規定値以上ある場合には、そのジェスチャー入力がジェスチャー時間が規定内にあるか否かを判定し（ステップＳ３）、その判定結果がＮＯすなわち規定範囲内にない場合には、そのジェスチャー入力を無視して（ステップＳ１４）、次の操作入力の待機状態になる（ステップＳ１５）。
【００８７】
そして、上記ステップＳ４における判定結果がＹＥＳすなわちジェスチャー入力の時間が規定内にある場合には、ジェスチャー入力をチャンネル切替え操作入力であるとして、上記可搬型表示装置１００の制御部１３０は、ジェスチャー入力の方向に応じてチャンネルアップ「＋」又はチャンネルダウン「−」の選局コマンドを示す操作信号を形成して送信処理部１１２からベース装置２００に送信する。これにより、ベース装置２００の制御部２３０は操作信号に応じた選局処理を行う（ステップＳ５）。ここでは、例えば、図５に右方向の矢印にて示すジェスチャー入力ＯＰＡに対してチャンネルアップ「＋」の選局コマンドを割付け、図５に左方向の矢印にて示すジェスチャー入力ＯＰＢに対してチャンネルダウン「−」の選局コマンドを割付けている。
【００８８】
さらに、上記可搬型表示装置１００の制御部１３０は、上記ジェスチャー入力について、上記タッチパネル１２１に指が接触しているペンダウン状態にあるか否かを判定し（ステップＳ６）、その判定結果がＮＯすなわちペンダウン状態にない場合には、上記ジェスチャー入力を完了として、次の操作入力の待機状態になる（ステップＳ１５）。
【００８９】
また、上記ステップＳ６における判定結果がＹＥＳすなわちペンダウン状態が持続されている場合には、ペン座標検出によりリピート可か否かを判定し（ステップＳ７）、その判定結果がＮＯすなわちリピート可でない場合には、上記ジェスチャー入力を完了として、次の操作入力の待機状態になる（ステップＳ１５）。
【００９０】
さらに、上記ステップＳ７における判定結果がＹＥＳすなわちリピート可である場合には、選局コマンドを示す操作信号を形成して送信処理部１１２からベース装置２００に送信する。これにより、ベース装置２００の制御部２３０は操作信号に応じた選局処理を行う（ステップＳ８）。この一連の処理を繰り返すことで一定時間毎にリピートされて選局される。
【００９１】
上記タッチパネル１２１から指（ペン）を離すか、ペン位置を当初のジェスチャー位置とは逆方向に移動させることにより、上記ステップＳ７における判定結果がＮＯになり、リピート選局処理は解除される。
【００９２】
また、上記ステップＳ２における判定結果が縦方向のジェスチャー入力であった場合には、そのジェスチャー入力について、そのジェスチャー方向が上方向、下方向、又は下方向と下方向の折り返しであるか否かを判定し（ステップＳ９）、その判定結果がＮＯすなわちジェスチャー方向が上方向、下方向、又は下方向と下方向の折り返し以外である場合には、そのジェスチャー入力を無視して（ステップＳ１４）、次の操作入力の待機状態になる（ステップＳ１５）。
【００９３】
そして、上記ステップＳ９における判定結果がＹＥＳすなわちジェスチャー方向が上方向、下方向、又は下方向と下方向の折り返しある場合には、そのジェスチャー入力について、スロー、キャッチ又はスワップの操作入力であるとして、上記可搬型表示装置１００の制御部１３０は、そのジェスチャー入力のジェスチャー距離が規定値以上あるか否かを判定し（ステップＳ１０）、その判定結果がＮＯすなわち規定値に満たない場合には、そのジェスチャー入力を無視して（ステップＳ１４）、次の操作入力の待機状態になる（ステップＳ１５）。
【００９４】
また、上記ステップＳ１０における判定結果がＹＥＳすなわちジェスチャー入力の距離が規定値以上ある場合には、そのジェスチャー入力がジェスチャー時間が規定内にあるか否かを判定し（ステップＳ１１）、その判定結果がＮＯすなわち規定範囲内にない場合には、そのジェスチャー入力を無視して（ステップＳ１４）、次の操作入力の待機状態になる（ステップＳ１５）。
【００９５】
なお、ステップＳ１０におけるジェスチャー距離の規定値及びステップＳ１１におけるジェスチャー時間の規定範囲は、ジェスチャー入力に割り付けるスローコマンド、キャッチコマンド又はスワップコマンドによりそれぞれ異なる。
【００９６】
そして、上記ステップＳ１０における判定結果がＹＥＳすなわちジェスチャー入力の時間が規定内にある場合には、ジェスチャー入力をスロー、キャッチ又はスワップの操作入力であるとして、上記可搬型表示装置１００の制御部１３０は、ジェスチャー入力の方向に応じてスローコマンド、キャッチコマンド又はスワップコマンドを示す操作信号を形成して送信処理部１１２からベース装置２００に送信する。
【００９７】
ここでは、例えば、図５に上方向の矢印にて示すジェスチャー入力ＯＰ１に対してスローコマンドを割付け、図５に下方向の矢印にて示すジェスチャー入力ＯＰ２に対してキャッチコマンドを割付け、さらに、下方向から上方向に折り返す矢印にて示すジェスチャー入力ＯＰ３に対してスワップコマンドを割付けている。
【００９８】
そして、上記ベース装置２００の制御部２３０は、操作信号に応じて、アニメーション処理を行い（ステップＳ１２）、さらに、選局・画像入替処理を行って（ステップＳ１３）。次の操作入力の待機状態になる（ステップＳ１５）。
【００９９】
ここで、上記ベース装置２００の制御部２３０は、スローコマンドを受信すると、図６のフローチャートに示す手順で上記可搬型表示装置１００側と大画面表示装置３００側のスロー操作制御を並行処理により行う。
【０１００】
すなわち、スロー操作制御では、上記可搬型表示装置１００によりアニメーション表示制御を開始させ（ステップＳＡ１）、スロー操作が可能であるか否かを判定し（ステップＳＡ２）、その判定結果ＮＯすなわち無線圏外等で通信不能な状態や、ベース装置２００側で操作ロックされている状態にある場合などスロー操作ができない場合にはエラー表示を行い（ステップＳＡ３）、アニメーション表示を終了して（ステップＳＡ４）、スロー操作制御の終了となる。
【０１０１】
また、上記ステップＳＡ２における判定結果ＹＥＳすなわちスロー操作が可能である場合には、上記可搬型表示装置１００側から大画面表示装置３００の受信チャンネルを可搬型表示装置１００の受信チャンネルに切り替える処理を呼び出し（ステップＳＡ５）、アニメーション表示を終了して（ステップＳＡ６）、スロー操作制御の終了となる。
【０１０２】
大画面表示装置３００側では、上記受信チャンネルを切り替える処理の呼び出しを受理すると（ステップＳＢ１）、画面のフェードアウト及び音声のミュート制御を行い（ステップＳＢ２）、スキャンレートの変更などの信号切替処理を行い（ステップＳＢ３）、画面のフェードアウト及び音声のミュート制御を解除して（ステップＳＢ４）、スロー操作制御の終了となる。
【０１０３】
このようなスロー操作制御により、図７（Ａ）に示すように、大画面表示装置３００の表示内容が、上記可搬型表示装置１００の表示内容に切り替えられる。このスロー操作では、図７（Ｂ）に示すように、上記可搬型表示装置１００の表示内容は、切り替えられることなく、このスロー操作を行ったことがアニメーション表示される。
【０１０４】
また、上記ベース装置２００の制御部２３０は、キャッチコマンドを受信すると、図８のフローチャートに示す手順で上記可搬型表示装置１００側と大画面表示装置３００側のキャッチ操作制御を並行処理により行う。
【０１０５】
すなわち、キャッチ操作制御では、上記可搬型表示装置１００によりアニメーション表示制御を開始させ（ステップＳＡ１１）、キャッチ操作が可能であるか否かを判定し（ステップＳＡ１２）、その判定結果ＮＯすなわち無線圏外等で通信不能な状態や、ベース装置２００側で操作ロックされている状態にある場合などキャッチ操作ができない場合にはエラー表示を行い（ステップＳＡ１３）、アニメーション表示を終了して（ステップＳＡ１４）、キャッチ操作制御の終了となる。
【０１０６】
また、上記ステップＳＡ１２における判定結果ＹＥＳすなわちキャッチ操作が可能である場合には、上記可搬型表示装置１００側で大画面表示装置３００側の受信チャンネルを取得し（ステップＳＡ１５）、上記可搬型表示装置１００側から大画面表示装置３００の受信チャンネルの受信チャンネルを切り替える処理を呼び出し（ステップＳＡ１６）、アニメーション表示を終了して（ステップＳＡ１７）、上記可搬型表示装置１００側の受信チャンネルを上記ステップＳＡ１５で取得した大画面表示装置３００側の受信チャンネルに切り替える処理を実行して（ステップＳＡ１８）、キャッチ操作制御の終了となる。なお、上記ステップＳＡ１８において、上記可搬型表示装置１００側の受信チャンネルを切り替える処理の実行中は、上記可搬型表示装置１００側の映像と音声をミュートする。
【０１０７】
大画面表示装置３００側では、上記受信チャンネルを切り替える処理の呼び出しを受理すると（ステップＳＢ１１）、チャンネルを切替えを行わずに、上記可搬型表示装置１００側に受信チャンネルをキャッチされたことをＯＳＤにより一定時間表示して（ステップＳＢ１２）、ＯＳＤによるキャッチ表示を解除して（ステップＳＢ１４）、キャッチ操作制御の終了となる。
【０１０８】
このようなキャッチ操作制御により、図９（Ａ）に示すように、大画面表示装置３００の表示内容は、切り替えられることなく、ＯＳＤによるキャッチ表示がなされ、図９（Ｂ）に示すように、上記可搬型表示装置１００の表示内容が、アニメーション表示を経由して、大画面表示装置３００の表示内容に切り替えられる。
【０１０９】
さらに、上記ベース装置２００の制御部２３０は、スワップコマンドを受信すると、図１０のフローチャートに示す手順で上記可搬型表示装置１００側と大画面表示装置３００側のスワップ操作制御を並行処理により行う。
【０１１０】
すなわち、スワップ操作制御では、上記可搬型表示装置１００によりアニメーション表示制御を開始させ（ステップＳＡ２１）、スワップ操作が可能であるか否かを判定し（ステップＳＡ２２）、その判定結果ＮＯすなわち無線圏外等で通信不能な状態や、ベース装置２００側で操作ロックされている状態にある場合などキャッチ操作ができない場合にはエラー表示を行い（ステップＳＡ２３）、アニメーション表示を終了して（ステップＳＡ２４）、スワップ操作制御の終了となる。
【０１１１】
また、上記ステップＳＡ２２における判定結果ＹＥＳすなわちスワップ操作が可能である場合には、上記可搬型表示装置１００側で大画面表示装置３００側の受信チャンネルを取得し（ステップＳＡ２５）、上記可搬型表示装置１００側から大画面表示装置３００の受信チャンネルを可搬型表示装置１００の受信チャンネルに切り替える処理を呼び出し（ステップＳＡ２６）、アニメーション表示を終了して（ステップＳＡ２７）、上記可搬型表示装置１００側の受信チャンネルを上記ステップＳＡ２５で取得した大画面表示装置３００側の受信チャンネルに切り替える処理を実行して（ステップＳＡ２８）、スワップ操作制御の終了となる。なお、上記ステップＳＡ２８において、上記可搬型表示装置１００側の受信チャンネルを切り替える処理の実行中は、上記可搬型表示装置１００側の映像と音声をミュートする。
【０１１２】
大画面表示装置３００側では、上記受信チャンネルを切り替える処理の呼び出しを受理すると（ステップＳＢ２１）、画面のフェードアウト及び音声のミュート制御を行い（ステップＳＢ２２）、スキャンレートの変更などの信号切替処理を行い（ステップＳＢ２３）、画面のフェードアウト及び音声のミュート制御を解除して（ステップＳＢ２４）、スワップ操作制御の終了となる。
【０１１３】
このようなスワップ操作制御により、図１１（Ａ）に示すように、大画面表示装置３００の表示内容が、上記可搬型表示装置１００の表示内容に切り替えられ、また、図１１（Ｂ）に示すように、上記可搬型表示装置１００の表示内容が、アニメーション表示を経由して、大画面表示装置３００の表示内容に切り替えられる。
【０１１４】
なお、以上説明した実施の形態では、ベース装置２００の第１のチューナ２０２Ａは第２のチューナ２０２Ｂにより選局されるテレビジョン放送番組の表示画面を可搬型表示装置１００と大画面表示装置３００で入れ替える画面切り替え処理すなわちスロー操作制御、キャッチ操作制御及びスワップ操作制御について説明したが、ＳＴＢにより選局された衛星放送信号により提供される衛星放送番組や、さらに、ベース装置２００に、ＶＴＲやＤＶＤ装置が外部入力機器として接続されている場合には、これらＶＴＲやＤＶＤ装置により再生するようにされる映画などを視聴する場合に、この映像表示システム１では、セレクタ２０６の制御によりそれらの再生画像を同様な操作で入れ替えることもできる。
【０１１５】
また、この映像表示システム１では、上記可搬型表示装置１００のタッチパネル１２１を設けたＬＣＤ１０７の表示画面に、図５に示すようなコントロールパネルをＯＳＤ処理部１０５により表示して、上記コントロールパネルのスローボタンＴＢ、キャッチボタンＣＢ、スワップボタンＳＢの操作を上記可搬型表示装置１００の制御部１３０が受け付けることにより、スローコマンド、キャッチコマンド、スワップコマンドを生成するようにして、ジェスチャー入力に替えてボタン操作入力に応じて、スロー操作制御、キャッチ操作制御やスワップ操作制御を行うこともできる。
【０１１６】
また、この映像表示システム１は、ベース装置２００に設けた図示しないロックスイッチにより、上記ジェスチャー入力やボタン操作入力によるスロー操作制御、キャッチ操作制御やスワップ操作制御を受け付けないようにすることもできる。
【０１１７】
ここで、上述の実施の形態では、可搬型表示装置１００、ベース装置（ベースステーション）２００、大画面表示装置３００とからなり、ベース装置２００から供給される映像信号を可搬型表示装置１００と大画面表示装置３００で表示するように映像表示システム１を構成したが、上記ベース装置２００は、複数の可搬型表示装置１００や大画面表示装置３００に映像信号を無線による信号伝送あるいは有線による信号伝送により供給するようにしてもよい。
【０１１８】
【発明の効果】
以上説明したように、本発明によれば、少なくとも２つの表示装置と上記表示装置に映像信号を供給するベース装置からなる映像表示システムにおいて、ベース装置から供給される映像信号に応じた映像を表示する映像表示部の表示画面に設けられ、使用者が接触するようにした上記表示画面上の接触位置を検出する接触位置検出手段により検出される上記表示画面上の接触位置の検出出力に基づいて使用者による上記表示画面上におけるなぞり操作の方向を特定し、使用者によるなぞり操作のみで、接触操作方向に応じた表示画像切り替え用の操作信号を操作信号形成手段により形成し、上記表示画像切り替え用の操作信号を双方向通信手段を介して表示装置から上記ベース装置に送信して、上記ベース装置の制御手段により上記表示画像切り替え用の操作信号に応じて上記ベース装置に備えられる互いに独立に受信チャンネルを選択可能な少なくとも２つのチューナ手段による選局制御を行うことによって、複数の表示装置にベース装置から映像信号を供給するに当たり、ユーザが指で画面をなぞる操作により、映像機器間で映像の授受を行うことを可能にし、従来のリモコンのようなボタン操作とは異なり、感覚的に切替えを行うことができる。
【０１１９】
例えば、上記接触位置検出手段により検出される上記表示画面上の接触位置の検出出力に基づいて、上記操作信号形成手段により横方向の接触操作入力にチャンネル切替えコマンドを割り付けた操作信号を形成して、上記表示装置から上記双方向通信手段を介して上記ベース装置に送信することにより、上記ベース装置から当該表示装置に映像信号を供給するチューナ手段の選局制御を行うことができる。
【０１２０】
また、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルを上記ベース装置から他の表示装置に映像信号を供給するチューナ手段の受信チャンネルに設定する選局制御を行うことができる。
【０１２１】
また、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルに、上記ベース装置から他の表示装置に映像信号を供給するチューナ手段の受信チャンネルを設定する選局制御を行うことができる。
【０１２２】
さらに、例えば、上記接触位置検出手段により検出される上記表示画面上の接触位置の検出出力に基づいて、上記操作信号形成手段により縦方向の接触操作入力に画面の入れ換えコマンドを割り付けた操作信号を形成して、上記双方向通信手段を介して上記表示装置からベース装置に送信することにより、上記ベース装置から当該表示装置に映像信号を供給するチューナ手段の受信チャンネルと上記ベース装置から他の表示装置に映像信号を供給するチューナ手段の受信チャンネルとを交換する選局制御を行うことができる。
【図面の簡単な説明】
【図１】本発明に係る映像表示システムの構成例を模式的に示す図である。
【図２】上記映像表示システムにおける可搬型表示装置の構成を示すブロック図である。
【図３】上記映像表示システムにおけるベース装置の構成を示すブロック図である。
【図４】上記映像表示システムにおけるジェスチャー操作入力による制御手順をフローチャートである。
【図５】上記映像表示システムにおける可搬型表示装置の表示画面に設けたタッチパネルを介して入力されるジェスチャー操作入力の内容を模式的に示す図である。
【図６】上記映像表示システムにおけるスロー操作制御の手順を示すフローチャートである。
【図７】上記スロー操作制御による表示内容の変化状態を示す図である。
【図８】上記映像表示システムにおけるキャッチ操作制御の手順を示すフローチャートである。
【図９】上記キャッチ操作制御による表示内容の変化状態を示す図である。
【図１０】上記映像表示システムにおけるスワップ操作制御の手順を示すフローチャートである。
【図１１】上記スワップ操作制御による表示内容の変化状態を示す図である。
【符号の説明】
１  映像表示システム、１００  可搬型表示装置、１０１  送受信アンテナ、１０２  アンテナ共用器、１０３  受信処理部、１０４  デコード部、１０５  ＯＳＤ処理部、１０６  映像信号処理部、１０７  ＬＣＤ、１０８  音声信号増幅部、１０９  スピーカ、１１１  送信信号形成部、１１２  送信処理部、１２１  タッチパネル、１２２  座標検出部、１３０  制御部、２００  ベース装置、２０１Ａ，２０１Ｂ  受信アンテナ、２０２Ａ，２０２Ｂ  第１及び第２のチューナ、２０３Ａ，２０３Ｂ  復調部、２０４  映像信号入力端子、２０５  音声信号入力端子、２０６  セレクタ、２０７  圧縮処理部、２０８  送信信号形成部、２０９  送信処理部、２１０  アンテナ共用器、２１１  送受信アンテナ、２１５  信号出力端子、２１２  受信処理部、２３０  制御部、３００  大画面表示装置
【図１】
0003925297.tif 000002
【図２】
0003925297.tif 000003
【図３】
0003925297.tif 000004
【図４】
0003925297.tif 000005
【図５】
0003925297.tif 000006
【図６】
0003925297.tif 000007
【図７】
0003925297.tif 000008
【図８】
0003925297.tif 000009
【図９】
0003925297.tif 000010
【図１０】
0003925297.tif 000011
【図１１】
0003925297.tif 000012